(57)【要約】【課題】  育毛に関しては、さまざまな方法が行われているが、マッサージや刺激を与える方法が中心であり、あくまでも現状維持や一時的な回復を期待するものであり、本質的な改善にはなりえないものであった。【解決手段】３０℃以上で炭酸ガス濃度が５００ｐｐｍ以上の高濃度炭酸温水に少なくとも５分以上頭皮を浸けることにより、皮下の毛細血管の血流が良くなり頭皮の新陳代謝が活発になる。そして、継続的に続けることで皮下の毛細血管が頭皮向かって発達すると考えられ、毛根の活動を促進して恒久的な育毛改善になる。また、ストレスの解消効果もある。高濃度炭酸温水による頭部浴を手軽に、そして無理な体勢ではなく楽に行えるように、仰向けになった状態で頭部に容器を装着し、その容器の中に高濃度炭酸温水を注入し、頭皮が高濃度炭酸温水に直接触れた状態を３分以上保てる方法と用具を提案するものである。【選択図】図１
2009112754.tif 000002
【特許請求の範囲】
【請求項１】
頭部に液体を収容できる装着容器を付け、該装着容器を頭部に装着し、装着容器と頭皮の間に溶存炭酸ガス濃度が５００ｐｐｍ以上で湯温が３０℃以上の炭酸温水を収容し、少なくとも３分以上炭酸温水を頭皮に接触させることを特徴とする炭酸温水による頭皮の血行促進方法
【請求項２】
前記頭皮の血行促進方法において、エステや美容室などで仰向けになった状態で頭部をシャンプーボール上部に位置させて行うことを特徴とする請求項１に記載の頭皮の血行促進方法
【請求項３】
前記炭酸温水は桶やポリタンクなどの容器に溜められており、その溜められた炭酸温水をポンプなどで吸い上げて前記装着容器に送り、装着容器から溢れた炭酸温水を装着容器に設けられた排水口から装着容器外へ排出することを特徴とする請求項１および２に記載の頭皮の血行促進方法
【請求項４】
前記炭酸温水は桶やポリタンクなどの容器に溜められており、その溜められた炭酸温水をポンプなどで吸い上げて前記装着容器に送り、装着容器から溢れた炭酸温水を装着容器に設けられた排水部に接続されたチューブなどにより再び前記桶やポリタンクなどの容器に戻すことを特徴とする請求項１および２に記載の頭皮の血行促進方法
【請求項４】
前記炭酸温水が桶やポリタンクなどの容器に溜められた温水を前記装着容器へ送水する途中で、炭酸ガス混合手段により前記温水に炭酸ガスを溶解することにより生成した炭酸温水で、装着容器から溢れた炭酸温水を装着容器に設けられた排水口から装着容器外へ排出することを特徴とする請求項１および２に記載の頭皮の血行促進方法
【請求項５】
前記炭酸温水が桶やポリタンクなどの容器に溜められた温水を前記装着容器へ送水する途中で、炭酸ガス混合手段により前記温水に炭酸ガスを溶解することにより生成した炭酸温水で、装着容器から溢れた炭酸温水を装着容器に設けられた排水部に接続されたチューブなどにより再び前記桶やポリタンクなどの容器に戻すことを特徴とする請求項１および２に記載の頭皮の血行促進方法
【請求項６】
ヒータなどの加温機を用いて、前記炭酸温水の温度を任意の温度に保つか、任意の温度に加温することを特徴とする請求項１から５に記載の頭皮の血行促進方法
【請求項７】
前記炭酸温水に育毛剤、食塩、岩塩、遊離硫化水素の少なくとも１つを添加することを特徴とする請求項１から６に記載の頭皮の血行促進方法
【請求項８】
炭酸温水を溜めておく桶やポリタンクなどの容器を有し、該炭酸温水を吸い上げるポンプを有し、頭部に装着する装着容器を有し、該装着容器がウェットスーツなどに用いられる弾力性があり液体を通さない素材でできており、該装着容器の頭を入れる開口部端部に伸縮自在の帯状の締め付け帯を有し、該締め付け帯の両端に面ファスナーを有し、前記装着容器に炭酸温水を注入する注入部と炭酸温水を排出する排水部を有し、ポンプで吸い上げた炭酸温水を前記装着容器に送水する送水管路を有し、該送水管路は前記注入部に接続されていることを特徴とする炭酸温水による頭皮の血行促進用具
【請求項９】
前記装着容器の排水部に前記装着容器から排出された炭酸温水を桶やポリタンクなどの容器に戻す戻し管路を有することを特徴とする請求項８に記載の頭皮の血行促進用具
【請求項１０】
温水を溜めておく容器を有し、該温水を吸い上げるポンプを有し、温水に炭酸ガスを溶解させる炭酸温水製造装置を有し、炭酸ガスボンベあるいはカートリッジを有し、頭部に装着する装着容器を有し、該装着容器がウェットスーツなどに用いられる弾力性があり液体を通さない素材でできており、該装着容器の頭を入れる開口部端部に伸縮自在の帯状の締め付け帯を有し、該締め付け帯の両端に面ファスナーを有し、前記装着容器に炭酸温水を注入する注入部を炭酸温水を排出する排水部を有し、前記炭酸ガスボンベから供給される炭酸ガスを前記炭酸温水製造装置で温水に溶解して生成された炭酸温水を前記装着容器に送水する送水管路を有し、該送水管路は前記注入部に接続されていることを特徴とする炭酸温水による頭皮の血行促進用具
【請求項１１】
前記装着容器の排水部に前記装着容器から排出された炭酸温水を桶やポリタンクなどの容器に戻す戻し管路を有することを特徴とする請求項１０に記載の頭皮の血行促進用具
【請求項１２】
前記装着容器の額に接触する部分に装着容器の開口部と直角方向に亀裂を有し、該亀裂部両端部でかつ前記装着容器の開口部端部近傍に位置する部分に面ファスナーを有し、前記装着容器を頭部に装着する際に前記亀裂部を広げて頭部に被せた後、亀裂部を重ねるようにして前記亀裂部端部の面ファスナーで止められる構造であることを特徴とする請求項８から１１に記載の頭皮の血行促進用具
【発明の詳細な説明】
【技術分野】
【０００１】  本発明は、温度が３０℃以上で炭酸ガスの含有濃度が５００ｐｐｍ以上になるようにした炭酸温水を頭皮に長時間接触させることによる頭皮の血行促進技術に関するものである。【０００２】  また、本発明は、高濃度の炭酸温水に育毛剤あるいは塩分や遊離硫化水素を溶解させた温水を頭皮に長時間接触させることによる頭皮の血行促進技術に関するものである。【０００３】  さらに、本発明は炭酸温水を頭皮に接触させる際、桶などに入れた炭酸温水に頭を浸けるのではなく、仰向けになった姿勢で行うことができる頭皮の血行促進技術に関するものである。
【背景技術】
【０００４】  従来から、頭皮の血行促進に関しては、さまざまな方法が提案されてきた。たとえば、オイルによる頭皮マーサージにより血行をよくする方法である。
あるいは、頭皮の血行を促進する薬剤を塗ったり、服用したりする物であった。【０００５】  しかしながら、これと言って有効な方法がなく、薬剤の使用においては少なからず副作用の危険が付きまとっている。【０００６】  最近では、高濃度炭酸温水を頭部にシャワーする方法も用いられているが、シャワーでは局部的に炭酸温水が頭皮に触れるだけであるのと、頭皮の温度を保てない為、大きな効果が得られていないのが実情である。
【発明が解決しようとする課題】
【０００７】  これらの方法は一時的に血行を良くするものであり、本質的な頭皮の血行改善になっているかどうかは疑問が残る。すなわち、摩擦や刺激により良くなった血行は、刺激がなくなるとすぐに元に戻り、効果はすぐに消えてしまう。
【０００８】  また、炭酸温水のシャワーでは炭酸温水と頭皮との接触が局所的であり、頭部を炭酸温水に浸けることが理想的である。
【０００９】  老化による毛細血管の減少は血管から運ばれてくる水分や酸素や栄養分の不足をもたらし、毛根による頭髪の成長を阻害する。これにより、発毛不全や抜け毛により頭髪が薄くなってしまう。この防止や改善には、高濃度炭酸温水に頭皮を長時間接触させることにより毛細血管を頭皮表面に向かって発育させて、皮下の血流を増加させることによる毛根の本質的な改善が有効である。
【課題を解決するための手段】
【００１０】  人は酸素を吸い炭酸ガスを吐き出しているが、これは吸った酸素が血液により細胞に運ばれて消費され、代わりに炭酸ガスを細胞から引き取って呼気により体外に排出している。
【００１１】  炭酸ガスが高濃度で溶解した炭酸温水に肌を浸すと、炭酸ガスが皮膚から吸収され、吸収された炭酸ガスは毛細血管に入り、そして炭酸ガスが毛細血管内に増えると、体は炭酸ガスを早く排出しようとして、毛細血管を流れる血液量を増やすという報告がある。
【００１２】  この毛細血管の血行促進により、肌への酸素・水分・栄養の補給が増加され肌本来の機能である新陳代謝が促進される。炭酸温水で肌を浸すのを止めるとすぐに血流量は元に戻るが、この炭酸温水浴を続けることにより、次第に毛細血管自体が皮膚に向かって発達すると報告されている。
【００１３】  本発明は、この炭酸温水浴を頭部に対して応用する物である。方法としては頭部を温水に浸す方法があるが、前に屈む体勢で行なう場合、ほぼ逆立ちするような体勢となり頭に血が下がってくる為長時間行なうのは苦痛である。
【００１４】  本発明においては、炭酸温水を収納できる容器を頭部に装着し、その容器の中に炭酸温水を注入し、頭皮に炭酸温水が長時間接触する構造とした。これにより、頭部を炭酸温水に浸けるのではなく、仰向けの姿勢でも炭酸温水に頭部を浸けているのと同じ状態を作ることが可能となった。
【００１５】  ここで、炭酸温水が頭皮と接触している間だけ接触している部分の肌直下の毛細血管の血流が良くなるが、炭酸温水との接触を止めたとたん血流は元に戻る為、少なくとも３分以上望ましくは１０分間連続的に炭酸温水に頭皮が接触していることが重要である。本発明の方法であれば、仰向けに寝そべった姿勢でもできるため、楽に長時間続けることが可能である。
【発明を実施するための最良の形態】
【００１６】  図１は本発明における装着容器を示し、図２はその断面図を示す。装着容器１００はキャップ部１とバンド２で構成されており、キャップ部１はウェットスーツなどに用いられる弾力性があり液体を通さない素材、たとえば発泡クロロプレーンゴム、でできており、バンドも伸縮自在の素材でできており、キャップ部１のいずれかの位置に注入部６を有し、頭に装着する際の額の位置に排水口５を有し、排水口５のほぼ反対側の１部分でバンド２が図２に示す固定位置２４でキャップ部１に固定されている。【００１７】  バンド２は図２に示すように、キャップ部１の端部よりも少しはみ出る位置に固定されている。さらに、バンド２の端部には図１に示すように面ファスナー３および４が取り付けられている。【００１８】    装着容器１００を頭に装着する際は、図５に示すようにキャップ部１を頭部に被せ、バンド２でキャップ部１の端部がバンド２の幅からはみ出さないように頭に締め付けるようにして固定する。これによりキャップ部１内部の炭酸温温水がキャップ部１の開口部端部と額の隙間から滲み出ても、バンド２と額の間を通って左右に流れ、滲み出た炭酸温水が顔に流れない。【００１９】  図３は本発明における装着容器の別の例を示す。装着容器２００は装着容器１００のキャップ容器１の排水口５の下部に亀裂９が設けられたキャップ部２７を用いている。これは、装着容器２００を頭に装着する際に、亀裂部９があるため、キャップ部２７の端部を広げながら装着できる為、装着が容易になる物である。【００１９】  さらに亀裂部９には図３に示すように、面ファスナー７および８が取り付けられている。そして、装着容器２００を頭に装着する時に、亀裂部９を重ね合わせて面テープ７と８でキャップ部２７を頭に固定できるようになっている。そして、さらにその上からバンド２でキャップ部２７の端部を覆うように頭に締め付けて固定する物である。【００２０】  図４は、本発明における装着容器のさらに別の例を示す。装着容器３００は、装着容器２００に対し、亀裂部９の先が穴１０になっているキャップ部２８を用いており、この穴１０は排水口５を兼ねている。【００２１】  図５は、本発明の装着容器３００の変形例を示す。装着容器４００は装着容器３００のキャップ部２８に注入部６がないキャップ部２９を用いた物である。【００２１】  図６は装着容器１００を用いて実際に頭皮の炭酸温水浴をする第１の実施例を示す図である。ジャンプーボール１２の上に頭を出した状態で、前述のように装着容器１００を装着し、注入部６に送水管路１１が接続されている。送水管路１１から供給された炭酸温水はキャップ部１と頭部の間に溜まり、最終的には排水口５からキャップ部１の外に出てシャンプーボール１２に落ちて排水される。【００２２】  その際、バンド２で締め付けている部分から若干キャップ部１内の温水または炭酸温水が染み出るが、それらもシャンプーボール１２内に落ちる。また、図７に示すように、排水部５から排水された炭酸温水はバンド２が堤防のように顔に流れ落ちるのを防いでいる。すなわち、排水口５から流れ出た温水または炭酸温水が顔の方に流れた場合、バンド２に関止められバンド２に沿って下に流れてシャンプーボール���２に落ちるようになっている。【００２３】  次に図８を用いて、本発明の第２の実施例を示す。前述の排水口５に排水部１４が取り付けられており、排水部１４には戻し管路１３が接続されている。そして、ポリタンク（図示せず）などからポンプ（図示せず）により送水管路１１を通ってキャップ部１内部に供給された炭酸温水は排水部１４から戻し管路１３を通ってポリタンクに戻るようになされている。詳しくは図１０を用いて後で説明する。【００２４】  図９は本発明による頭皮の炭酸温水浴の第１の実施例の全体図を示す。図９を用いて、実際のやり方を説明する。まず、装着容器１００を頭に装着した状態でシャンプーボール１２上に頭が来るように仰向けになる。キャップ部１に設けられた注入部６に接続された送水管路１１はポンプ１６を介してポリタンク１７の下部に接続されている。また、送水管路１１の途中にはカプラー１５が設けられており、送水管路１１を着脱できるようになっている。【００２５】  ポリタンク１７に適量の炭酸温水を入れ、ポンプ１６を動作させることにより、送水管路１１を通ってポリタンク１７内の炭酸温水がキャップ部１と頭皮の間に送り込まれる。【００２６】  キャップ部１内は炭酸温水で満たされて行き、最終的には排水口５からキャップ部１の外に溢れてシャンプーボール１２内に落ちて排水される。この際、キャップ部１内に送り込まれる炭酸温水の量が適度な量となるような送水能力のポンプを用いるのが望ましい。【００２７】  これにより、ポリタンク１７の炭酸温水が無くなるまで、キャップ部１内部に炭酸温水を供給できるため、長時間キャップ部１と頭皮の間に炭酸温水を溜めておくことが出来る。【００２８】  ポンプ１６の送水能力が大きすぎる場合は、ポンプ１６出口側の送水管路１１を分岐して１本をポリタンク１７に戻しても良い（図示せず）。その際、ポリタンク１７に戻す管路には流量を調整できる手動バルブ（図示せず）を取り付けておくことが望ましい。【００２８】  また、ポリタンク１７あるいは送水管路１１の途中にヒータなどの保温装置あるいは加熱装置（図示せず）を設けて、炭酸温水の温度を保つことが望ましい。また、図９の説明では装着容器１００を用いて説明しているが、装着容器２００あるいは３００を用いてもかまわない。【００２９】  次に図１０に、本発明による頭皮の炭酸温水浴の第２の実施例の全体図を示す。これは、図９に対して、装着容器１００のキャップ部１の排水口５に排水部１４を取り付け、排水部１４に接続された戻し管路１３がカプラー１６とフィルター１８を介してポリタンク１７の上部に接続されている。【００３０】  これにより、キャップ部１内部から押し出された炭酸温水はフィルター１８でゴミを除去した後ポリタンク１７に戻されて循環される。この場合、炭酸温水が循環している為、ポリタンク１７の容積は小さいものでも長時間使用することができる。【００３１】  次に図１１に、本発明による頭皮の炭酸温水浴の第３の実施例の全体図を示す。これは、図９に対して、ポンプ１６の代わりに炭酸温水製造装置２０を取り付け、ポリタンク１７には単なる温水を入れ、炭酸温水製造装置２０でポリタンク１７の温水を管路２１を介して吸い上げると共に、その温��に炭酸ガスを溶解させ、そこで出来た炭酸温水を送水管路１１を通してキャップ部１内部に送り込むものである。この例においても、装着容器は１００ではなく２００あるいは３００でもかまわない。【００３２】  次に図１２に、本発明による頭皮の炭酸温水浴の第４の実施例の全体図を示す。これは、図１１に対して、炭酸温水製造装置２０から出た送水管路１１を２つに分岐し、１方を手動コック２５を介して注入部６に接続すると共に、他方の管路２３をポリタンク１７の下方に接続した物である。【００３３】  この場合、手動コック２５を閉じた状態で炭酸温水製造装置２０を運転することにより、炭酸温水製造装置２０はポリタンク１７の温水を吸い上げると共に、温水に炭酸ガスを溶解させて炭酸温水を生成し、その生成された炭酸温水を管路２３を通してポリタンク１７に再び戻す動作を行なう。【００３４】  この循環により、ポリタンク１７内の温水は徐々に濃度の高い炭酸温水となってゆく、さらに、炭酸温水製造装置２０あるいはポリタンク１７にヒータなどの保温装置や加温装置（図示せず）を設けることにより、ポリタンク内の炭酸温水を高濃度かつ任意の温度に保っておくことができ、エステや美容室などでお客様が来店した時に、すぐに頭皮の高濃度炭酸温浴を行う事が出来るように予め準備しておくことができる。【００３５】  そして、ポリタンク１７の温水が高濃度の炭酸温水になった後に、装着容器１００を頭に装着して手動コック２５を開くことにより、ポリタンク１７と炭酸温水製造装置２０間を循環している炭酸温水の１部がキャップ部１内部に送り込まれ、ポリタンク１７内の炭酸温水が無くなるまで、頭皮の炭酸温浴を続けることができる。この例においても、装着容器は１００ではなく２００あるいは３００でもかまわない。また、手動コック２５はカプラー１５よりも下流側にあっても良い。【００３６】  次に図１３に本発明による頭皮の炭酸温水浴の第５の実施例の全体図を示す。上述では、キャップ部１に注入部６を設けて注入部６に送水管路１１を接続してキャップ部１に炭酸温水を供給しているが、注入部６のない装着容器４００を用いて、図１３に示すように装着容器４００のキャップ部２９の穴１０から送水管路１１をキャップ部２９内部に差し込み、バンド２に止め具２６などで送水管路１１を固定してもよい。なお、固定の仕方はこの方法に限定せず、送水管路が穴１０から外れない方法であれば良い。【００３７】  これにより、送水管路１１を通って供給された炭酸温水はキャップ部２９内部に送り込まれ、キャップ部２９から溢れた炭酸温水は穴１０からシャンプーボール１２にこぼれ落ちて排水される。【００３８】  図１３では、図９と同じようにポンプ１９を用いているが、図１０および図１１のように、炭酸温水製造装置２０を用いても良い。【００３９】  上記の説明では、装着容器１００、２００、３００、４００に供給する温水を炭酸温水としているが、図１１および１２以外は、単なる温水であってもかまわない。さらに、上記の説明では温水あるいは炭酸温水を溜めておく容器としてポリタンク１７を例に挙げているが、桶やバケツなどの容器であってもかまわない。【００４０】  最後に、炭酸温水製造装置２０の例を図１４を��いて説明する。図１４は高濃度炭酸温水生成回路の模式図を示す。ポリタンク（図示せず）などに溜めた温水をポンプ１０２により、吸い上げ管路１０３を介して吸い上げ、混合タンク１０４に設けられたノズル１０５により混合タンク１０４内の空間１０６に噴射する。【００４１】  また、炭酸ガスは炭酸ガスカートリッジあるいは炭酸ガスボンベ１０７から圧力調整器１０８で圧力を調整された後、混合タンク１０４に供給される。混合タンク１０４内の空間１０６は炭酸ガスで満たされており、混合タンク１０４内の底部にはノズル１０５により噴射された温水が貯留されるようになっている。【００４２】  混合タンク１０４の底部に溜まっている温水は、ノズル１０５により混合タンク１０４内の空間１０６に噴射されることにより空間１０６に満たされた炭酸ガスを吸収し、高濃度の炭酸温水となっている。そして、この溜まった高濃度炭酸温水は混合タンク１０４の底部に接続された戻り管路１０９によりポリタンク（図示せず）に戻される。【００４３】  ここで、混合タンク１０４の底部に溜められた高濃度炭酸温水の水位は、ある所定の範囲に保たれている。この水位を保つ方法を以下に説明する。
混合タンク１０４には圧力調整器１０８により圧力を調整された炭酸ガスが開閉バルブ１１１を介して供給されている。また、混合タンク１０４の底部に接続されている戻り管路１０９にはオリフィスなどの流量調整部１１０が設けられている。さらに混合タンク４には水位を検知できるセンサー１１２、１１３、１１４、１１５が４つ設置されている。【００４４】  流量調整部１１０と炭酸ガスの圧力調整器１０８は、炭酸ガスの開閉バルブ１１１が開いて炭酸ガスが混合タンク１０４に供給されている時は、混合タンク１０４内の水位が徐々に下がり、また、炭酸ガスの開閉バルブ１１１が閉じて炭酸ガスの供給がなくなると、混合タンク１０４内の炭酸ガスがノズル１０５により噴射された温水に吸収され、水位が徐々に上がるようにそれぞれ調整されている。【００４５】  そして、センサー１１４が水位を検知すると炭酸ガスの開閉バルブ１１１を閉じて炭酸ガスの供給を止め、これにより混合タンク１０４内の炭酸ガスが温水に吸収されて水位が徐々に上昇する。そしてセンサー１１３が水位を検知すると開閉バルブ１１１が開いて炭酸ガスを混合タンク１０４内に供給する。これにより混合タンク１０４内の圧力が上がり、水位は徐々に下降する。そして再びセンサー１１４が水位を検知して開閉バルブ１１１を閉じ水位が上昇し始める。この繰り返しにより、混合タンク１０４内の水位は、センサー１１３と１１４の間に保たれる。【００４６】  次に、実際に炭酸温水を生成する際の動作を説明する。装置の運転スイッチ（図示せず）を押すと、混合タンク１０４に接続された排気管路１１７の途中に設けられた開閉バルブ１１８が開くと共にポンプ１０２が運転される。これにより、ポリタンク（図示せず）内の温水が吸い上げ管路１０３から吸い上げられ、ポンプ１０２を通って混合タンク１０４内にノズル１０５から噴射される。このとき、炭酸ガスの開閉バルブ１１１は閉じた状態にある。【００４７】  混合タンク内の空気は排気管路１１７を通り戻り管路１０９を通ってポリタンク（図示せず）に放出される。そして、混合タンク１０４内の空気が完全に抜けて混合タンク１０４内が温水で満たされたことをセンサー１１２が検知すると開閉バルブ１１８が閉じ、排気管路１１７からの排気が遮断されるとともに、炭酸ガスの開閉バルブ１１１が開き炭酸ガスが混合タンク１０４に供給される。これにより、混合タンク１０４内の水位は徐々に下がり、空間１０６は炭酸ガスだけになる。【００４８】  ノズル１０５から噴射された温水は混合タンク１０４内の空間１０６で炭酸ガスと接触して炭酸ガスを吸収して高濃度炭酸温水となり、混合タンク１０４の底部に貯留し、さらに混合タンク１０４内の炭酸ガスの圧力で戻り管路１０９を通ってポリタンク（図示せず）に戻される。この循環によりポリタンク（図示せず）内の温水の炭酸ガス濃度が上がってゆく。【００４９】  上記の炭酸温水生成回路はあくまでも炭酸温水製造装置の１例であり、別の方法で温水に炭酸ガスを溶解する炭酸温水製造装置を用いてもかまわない。
【発明の効果】
【００５０】  従来の頭皮血行促進法ではなかった高濃度炭酸温水による頭部浴を行う事により、炭酸ガスが頭皮から皮下の毛細血管に入り、これにより毛細血管の血流を促し新陳代謝を活発にすることが出来る。さらに毛根への水分や酸素や栄養の補給が活発になり、育毛を促進することが出来る。また、高濃度炭酸温水による頭部浴を続けることにより毛細血管が頭皮に向かって発達し、恒久的に頭皮の血行を改善することができる。
【００５１】  本発明により手軽に高濃度炭酸温水による頭部浴が出来るようになり、継続的に続けることが可能になる。また、姿勢が楽であるため高濃度炭酸温水による頭部浴を少なくとも３分以上好ましくは１０分以上連続して行う事ができるようになる。
【００５２】  また、高濃度炭酸温水だけではなく、付加的に育毛剤や岩塩によるミネラル豊富な塩分や遊離硫化水素を混ぜることによりさらに効果を上げることが期待できる。
【００５３】  本発明により、頭髪の薄い男性や女性の永遠の願望である「いつまでも若々しくいたい」という願いを本質的な頭皮の血行改善を通じて実現できる。
【図面の簡単な説明】
【００５４】
【図１】本発明の装着容器１００を示す
【図２】図１の装着容器の断面図を示す
【図３】本発明の別の装着容器２００を示す
【図４】本発明のもう一つの装着容器３００を示す
【図５】本発明の装着容器３００の変形例４００を示す
【図６】本発明の第１の実施例を示す
【図７】図６の詳細を示す
【図８】本発明の第２の実施例を示す
【図９】本発明の第１の実施例の全体図を示す
【図１０】本発明の第２の実施例の全体図を示す
【図１１】本発明の第３の実施例の全体図を示す
【図１２】本発明の第４の実施例の全体図を示す
【図１３】本発明の第５の実施例の全体図を示す
【図１４】高濃度炭酸温水生成回路の模式図を示す
【符号の説明】
【００５５】１  キャップ部、  ２  バンド、  ３  面ファスナー
４  面ファスナー、  ５  排水口、  ６  注入部
７  面ファスナー  ８  面ファスナー、  ９  亀裂部
１０  穴、  １１  送水管路、  １２  シャンプーボール
１３  戻し管路、  １４  排水部、  １５  カプラー
１６  カプラー、  １７  ポリタンク、  １８  フィルター
１９  ポンプ、  ２０  炭酸温水製造装置
２１  管路、  ２２  分岐部、  ２３  管路
２４  固定位置、  ２５  手動コック、  ２６  止め具
２７  キャップ部、  ２８  キャップ部、  ２９  キャップ部
１００、２００、３００、４００  装着容器
１０２  ポンプ、  １０３  吸い上げ管路、  １０４  混合タンク
１０５  ノズル、  １０６  空間
１０７  炭酸ガスカートリッジあるいは炭酸ガスボンベ
１０８  圧力調整器、  １０９  戻り管路、  １１０  流量調整部
１１１  開閉バルブ、  １１２  センサー、  １１３  センサー
１１４  センサー、  １１５  センサー、  １１７  排気管路
１１８  開閉バルブ
【図１】
2009112754.tif 000003
【図２】
2009112754.tif 000004
【図３】
2009112754.tif 000005
【図４】
2009112754.tif 000006
【図５】
2009112754.tif 000007
【図６】
2009112754.tif 000008
【図７】
2009112754.tif 000009
【図８】
2009112754.tif 000010
【図９】
2009112754.tif 000011
【図１０】
2009112754.tif 000012
【図１１】
2009112754.tif 000013
【図１２】
2009112754.tif 000014
【図１３】
2009112754.tif 000015
【図１４】
2009112754.tif 000016
【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】
【請求項１】
頭部に液体を収容できる装着容器を付け、該装着容器を頭部に装着し、装着容器と頭皮の間に溶存炭酸ガス濃度が５００ｐｐｍ以上で湯温が３０℃以上の炭酸温水を収容し、少なくとも３分以上炭酸温水を頭皮に接触させることを特徴とする炭酸温水による頭皮の血行促進方法
【請求項２】
前記頭皮の血行促進方法において、エステや美容室などで仰向けになった状態で頭部をシャンプーボール上部に位置させて行うことを特徴とする請求項１に記載の頭皮の血行促進方法
【請求項３】
前記炭酸温水は桶やポリタンクなどの容器に溜められており、その溜められた炭酸温水をポンプなどで吸い上げて前記装着容器に送り、装着容器から溢れた炭酸温水を装着容器に設けられた排水口から装着容器外へ排出することを特徴とする請求項１および２に記載の頭皮の血行促進方法
【請求項４】
前記炭酸温水は桶やポリタンクなどの容器に溜められており、その溜められた炭酸温水をポンプなどで吸い上げて前記装着容器に送り、装着容器から溢れた炭酸温水を装着容器に設けられた排水部に接続されたチューブなどにより再び前記桶やポリタンクなどの容器に戻すことを特徴とする請求項１および２に記載の頭皮の血行促進方法
【請求項５】
前記炭酸温水が桶やポリタンクなどの容器に溜められた温水を前記装着容器へ送水する途中で、炭酸ガス混合手段により前記温水に炭酸ガスを溶解することにより生成した炭酸温水で、装着容器から溢れた炭酸温水を装着容器に設けられた排水口から装着容器外へ排出することを特徴とする請求項１および２に記載の頭皮の血行促進方法
【請求項６】
前記炭酸温水が桶やポリタンクなどの容器に溜められた温水を前記装着容器へ送水する途中で、炭酸ガス混合手段により前記温水に炭酸ガスを溶解することにより生成した炭酸温水で、装着容器から溢れた炭酸温水を装着容器に設けられた排水部に接続されたチューブなどにより再び前記桶やポリタンクなどの容器に戻すことを特徴とする請求項１および２に記載の頭皮の血行促進方法
【請求項７】
ヒータなどの加温機を用いて、前記炭酸温水の温度を任意の温度に保つか、任意の温度に加温することを特徴とする請求項１から５に記載の頭皮の血行促進方法
【請求項８】
前記炭酸温水に育毛剤、食塩、岩塩、遊離硫化水素の少なくとも１つを添加することを特徴とする請求項１から６に記載の頭皮の血行促進方法
【請求項９】
炭酸温水を溜めておく桶やポリタンクなどの容器を有し、該炭酸温水を吸い上げるポンプを有し、頭部に装着する装着容器を有し、該装着容器がウェットスーツなどに用いられる弾力性があり液体を通さない素材でできており、該装着容器の頭を入れる開口部端部に伸縮自在の帯状の締め付け帯を有し、該締め付け帯の両端に面ファスナーを有し、前記装着容器に炭酸温水を注入する注入部と炭酸温水を排出する排水部を有し、ポンプで吸い上げた炭酸温水を前記装着容器に送水する送水管路を有し、該送水管路は前記注入部に接続されていることを特徴とする炭酸温水による頭皮の血行促進用具
【請求項１０】
前記装着容器の排水部に前記装着容器から排出された炭酸温水を桶やポリタンクなどの容器に戻す戻し管路を有することを特徴とする請求項８に記載の頭皮の血行促進用具
【請求項１１】
温水を溜めておく容器を有し、該温水を吸い上げるポンプを有し、温水に炭酸ガスを溶解させる炭酸温水製造装置を有し、炭酸ガスボンベあるいはカートリッジを有し、頭部に装着する装着容器を有し、該装着容器がウェットスーツなどに用いられる弾力性があり液体を通さない素材でできており、該装着容器の頭を入れる開口部端部に伸縮自在の帯状の締め付け帯を有し、該締め付け帯の両端に面ファスナーを有し、前記装着容器に炭酸温水を注入する注入部と炭酸温水を排出する排水部を有し、前記炭酸ガスボンベから供給される炭酸ガスを前記炭酸温水製造装置で温水に溶解して生成された炭酸温水を前記装着容器に送水する送水管路を有し、該送水管路は前記注入部に接続されていることを特徴とする炭酸温水による頭皮の血行促進用具
【請求項１２】
前記装着容器の排水部に前記装着容器から排出された炭酸温水を桶やポリタンクなどの容器に戻す戻し管路を有することを特徴とする請求項１０に記載の頭皮の血行促進用具
【請求項１３】
前記装着容器の額に接触する部分に装着容器の開口部と直角方向に亀裂を有し、該亀裂部両端部でかつ前記装着容器の開口部端部近傍に位置する部分に面ファスナーを有し、前記装着容器を頭部に装着する際に前記亀裂部を広げて頭部に被せた後、亀裂部を重ねるようにして前記亀裂部端部の面ファスナーで止められる構造であることを特徴とする請求項８から１１に記載の頭皮の血行促進用具